【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
複数の画素がアレイ状に配置された画素部と、
各々が前記画素部の各列に対応し該対応する列の各画素からのアナログ信号をデジタル信号に変換するための複数のアナログデジタル変換部を有する変換部であって、前記画素部の少なくとも１列に対応する少なくとも１つのアナログデジタル変換部を含む第１グループと前記画素部の他の少なくとも１列に対応する少なくとも１つのアナログデジタル変換部を含む第２グループとを含む変換部と、
クロック信号を供給するためのクロック供給部と、を含み、
前記第１グループのアナログデジタル変換部および前記第２グループのアナログデジタル変換部のそれぞれは、比較部およびカウンタ部を有し、
前記比較部は、前記アナログ信号と時間的に変化する参照電位とを比較して該比較の結果を出力し、
前記カウンタ部は、前記比較を開始してから前記比較の結果が変化するまで時間を前記クロック供給部からのクロック信号をカウントすることにより計測し、
前記クロック供給部は、互いに直列に接続された第１のクロックバッファおよび第２のクロックバッファであってクロック信号をバッファリングするための第１のクロックバッファおよび第２のクロックバッファを含んでおり、
前記第１のクロックバッファは、クロック信号のデューティ比を差動回路によって補正し、偶数段のＣＭＯＳインバータ回路を介して前記第１グループのカウンタ部のそれぞれと前記第２のクロックバッファとに出力し、
前記第２のクロックバッファは、前記第１のクロックバッファから供給されたクロック信号のデューティ比を差動回路によって補正し、偶数段のＣＭＯＳインバータ回路を介して前記第２グループのカウンタ部のそれぞれに出力する、
ことを特徴とする固体撮像装置。
【請求項２】
前記差動回路は、
電源電位と基準電位の間に第１ノード、第２ノード、第１のトランジスタ、第２のトランジスタ、第３のトランジスタ、および第４のトランジスタを含み、
前記第１のトランジスタは、ＰＭＯＳトランジスタであって前記電源電位と前記第１ノードの間に配置され、
前記第１のトランジスタのゲートは前記第２ノードと電気的に接続され、
前記第２のトランジスタは、ＰＭＯＳトランジスタであって前記電源電位と前記第２ノードの間に配置され、
前記第２のトランジスタのゲートは前記第１ノードと電気的に接続され、
前記第３のトランジスタは、ＮＭＯＳトランジスタであって前記第１ノードと前記基準電位の間に配置され、
前記第４のトランジスタは、ＮＭＯＳトランジスタであって前記第２ノードと前記基準電位の間に配置される、
ことを特徴とする請求項１に記載の固体撮像装置。
【請求項３】
前記差動回路は、
電源電位と基準電位の間に第１ノード、第２ノード、第１のトランジスタ、第２のトランジスタ、第３のトランジスタ、第４のトランジスタ、第５のトランジスタ、および第６のトランジスタを含み、
前記第１のトランジスタは、ＰＭＯＳトランジスタであって前記電源電位と前記第１ノードの間に配置され、
前記第１のトランジスタのゲートは前記第２ノードと電気的に接続され、
前記第２のトランジスタは、ＰＭＯＳトランジスタであって前記電源電位と前記第２ノードの間に配置され、
前記第２のトランジスタのゲートは前記第１ノードと電気的に接続され、
前記第３のトランジスタは、ＮＭＯＳトランジスタであって前記第１ノードと前記基準電位の間に配置され、
前記第４のトランジスタは、ＮＭＯＳトランジスタであって前記第２ノードと前記基準電位の間に配置され、
前記第５のトランジスタは、ＮＭＯＳトランジスタであって前記第１ノードと前記基準電位の間に配置され、
前記第５のトランジスタのゲートは前記第２ノードと電気的に接続され、
前記第６のトランジスタは、ＮＭＯＳトランジスタであって前記第２ノードと前記基準電位の間に配置され、
前記第６のトランジスタのゲートは前記第１ノードと電気的に接続される、
ことを特徴とする請求項１に記載の固体撮像装置。
【請求項４】
前記第１のクロックバッファは、クロック信号とは逆位相の信号のデューティ比を差動回路によって補正し、偶数段のＣＭＯＳインバータ回路を介して、前記第１グループのカウンタ部のそれぞれと前記第２のクロックバッファに出力し、
前記第２のクロックバッファは、前記第１のクロックバッファから供給されたクロック信号とは逆位相の信号のデューティ比を差動回路によって補正し、偶数段のＣＭＯＳインバータ回路を介して前記第２グループのカウンタ部のそれぞれに出力する、
ことを特徴とする請求項１に記載の固体撮像装置。
【手続補正２】
【補正対象書類名】明細書
【補正対象項目名】０００７
【補正方法】変更
【補正の内容】
【０００７】
本発明の一つの側面は固体撮像装置にかかり、前記固体撮像装置は、複数の画素がアレイ状に配置された画素部と、各々が前記画素部の各列に対応し該対応する列の各画素からのアナログ信号をデジタル信号に変換するための複数のアナログデジタル変換部を有する変換部であって、前記画素部の少なくとも１列に対応する少なくとも１つのアナログデジタル変換部を含む第１グループと前記画素部の他の少なくとも１列に対応する少なくとも１つのアナログデジタル変換部を含む第２グループとを含む変換部と、クロック信号を供給するためのクロック供給部と、を含み、前記第１グループのアナログデジタル変換部および前記第２グループのアナログデジタル変換部のそれぞれは、比較部およびカウンタ部を有し、前記比較部は、前記アナログ信号と時間的に変化する参照電位とを比較して該比較の結果を出力し、前記カウンタ部は、前記比較を開始してから前記比較の結果が変化するまで時間を前記クロック供給部からのクロック信号をカウントすることにより計測し、前記クロック供給部は、互いに直列に接続された第１のクロックバッファおよび第２のクロックバッファであってクロック信号をバッファリングするための第１のクロックバッファおよび第２のクロックバッファを含んでおり、前記第１のクロックバッファは、クロック信号のデューティ比を差動回路によって補正し、偶数段のＣＭＯＳインバータ回路を介して前記第１グループのカウンタ部のそれぞれと前記第２のクロックバッファとに出力し、前記第２のクロックバッファは、前記第１のクロックバッファから供給されたクロック信号のデューティ比を差動回路によって補正し、偶数段のＣＭＯＳインバータ回路を介して前記第２グループのカウンタ部のそれぞれに出力することを特徴とする。
【手続補正３】
【補正対象書類名】明細書
【補正対象項目名】００２５
【補正方法】変更
【補正の内容】
【００２５】
続いて、期間Ｔ２においては、ＣＫａ＿ＩＮがＨｉ状態、ＣＫｂ＿ＩＮはＨｉ状態であるので、トランジスタＭ４はＯＮ状態となる。このとき、トランジスタＭ２もＯＮ状態のまま変化しないが、トランジスタＭ４はトランジスタＭ２より大きい駆動力を有するため、ｎ２はＬｏｗ状態となる。これにより、トランジスタＭ１はＯＮ状態となり、トランジスタＭ３もＯＮ状態であるが、同様の理由でｎ１はＬｏｗ状態となる。
【手続補正４】
【補正対象書類名】明細書
【補正対象項目名】００２７
【補正方法】変更
【補正の内容】
【００２７】
そして、期間Ｔ４においては、ＣＫａ＿ＩＮがＨｉ状態、ＣＫｂ＿ＩＮはＨｉ状態であるので、トランジスタＭ３はＯＮ状態となる。このとき、トランジスタＭ１もＯＮ状態のまま変化しないが、トランジスタＭ３はトランジスタＭ１より大きい駆動力を有するため、ｎ１はＬｏｗ状態となる。これにより、トランジスタＭ２はＯＮ状態となり、トランジスタＭ４もＯＮ状態であるが、同様の理由でｎ２はＬｏｗ状態となる。